(57)【要約】【課題】  強固な設置状態が得られる浴室手摺りの構造を提供する。【解決手段】  浴室１内に立設されるポール状の手摺り１１であって、この手摺り１１は、天井パネル３の上方の躯体４から垂設された高さ調整可能な補強架台５，６，８に上端側が固定されているとともに、手摺り１１の下端側は、防水パン２の上面に固定された固定金具１２に固定されている。【選択図】  図１
2007020818.tif 000002
【特許請求の範囲】
【請求項１】
浴室内に立設されるポール状の手摺りであって、該手摺りは、天井パネル上方の躯体から垂設された高さ調整可能な補強架台に上端側が固定されているとともに、下端側は防水パン上面に固定された固定金具に固定されていることを特徴とする浴室手摺りの構造。
【請求項２】
前記躯体と天井パネル間の前記補強架台に開口を形成し、該開口を介し天井裏に配設された配管を前記手摺り内に導入し、該配管の末端を手摺りに設けた水栓金具に接続したことを特徴とする請求項１に記載の浴室手摺りの構造。
【請求項３】
前記配管は、前記開口の上流側の天井裏のみにジョイント部が存在し、該ジョイント部から前記水栓金具までは連続していることを特徴とする請求項２に記載の浴室手摺りの構造。
【発明の詳細な説明】
【技術分野】
【０００１】
本発明は、浴室内に立設されるポール状の手摺りに関するものである。
【背景技術】
【０００２】
従来、特許文献１に開示されているように、浴室内に床面から天井面に亘って立設されたポール状の手摺りが存在する。
【特許文献１】特開２００１−３２９７０２号公報
【発明の開示】
【発明が解決しようとする課題】
【０００３】
上記特許文献１に開示されているようなポール状の手摺りは、上端が天井パネルに固定され、下端が床パンに固定されるものであり、十分な取付強度が得られ難いという問題点があった。
【課題を解決するための手段】
【０００４】
本発明は上記従来の問題点に鑑み案出したものであって、強固に自立して固定される浴室手摺りの構造を提供するものであり、その請求項１は、浴室内に立設されるポール状の手摺りであって、該手摺りは、天井パネル上方の躯体から垂設された高さ調整可能な補強架台に上端側が固定されているとともに、下端側は防水パン上面に固定された固定金具に固定されていることである。
【０００５】
また請求項２は、前記躯体と天井パネル間の前記補強架台に開口を形成し、該開口を介し天井裏に配設された配管を前記手摺り内に導入し、該配管の末端を手摺りに設けた水栓金具に接続したことである。
【０００６】
また請求項３は、前記配管は、前記開口の上流側の天井裏のみにジョイント部が存在し、該ジョイント部から前記水栓金具までは連続していることである。
【発明の効果】
【０００７】
本発明の手摺りは、天井パネル上方の躯体から垂設された高さ調整可能な補強架台に上端側が固定されているとともに、下端側は防水パン上面に固定された固定金具に固定されていることにより、内壁の状態に関係なく、しっかりと手摺りを浴室内に自立させて固定できるものとなる。
【０００８】
また、躯体と天井パネル間の補強架台に開口を形成し、開口を介し天井裏に配設された配管を手摺り内に導入し、配管の末端を手摺りに設けた水栓金具に接続したことにより、手摺り内に良好に配管を導入して、手摺りに水栓金具を取り付け、この水栓金具から良好に吐水させることができるものとなり、別途、浴室内の壁面等に水栓金具を設けることなく、手摺りを利用して手摺りに良好に水栓金具を設置でき、浴室内がすっきりとしたものとなる。
【０００９】
また、配管は、開口の上流側の天井裏のみにジョイント部が存在し、ジョイント部から水栓金具までは連続していることにより、配管は天井裏のみにジョイント部が存在し、その下流側は水栓金具まで連続しているため漏水の心配がなく、ジョイント部は点検口から容易に点検できて、ユニットバスにおいて極めて実施し易い構造となる。
【実施例】
【００１０】
以下、本発明の実施例を図面に基づいて説明する。
図１は、手摺りの設置状態の縦断面構成図である。
図において、浴室１は、その床面が防水パン２で構成されており、防水パン２と天井パネル３間にポール状の手摺り１１が立設されるものである。天井パネル３の上方の躯体４には、架台５が固定されている。
架台５の基部５ａをネジで躯体４に固定して、架台５の基部５ａから垂下状に内側に雌ネジを形成した内ネジ筒部５ｂが垂設されており、この内ネジ筒部５ｂ内に下方より、外周に雄ネジを形成した高さ調整筒部６が螺合されて、螺進退させて上下方向高さを調節した後にナット７を締め付けて、架台５の内ネジ筒部５ｂから高さ調整筒部６が垂設されるものであり、この高さ調整筒部６には開口６ａが形成されている。
【００１１】
また、高さ調整筒部６の下部には、上側に鍔部８ａを有する貫通筒部８が一体形成されており、貫通筒部８は天井パネル３を貫通して浴室１内に垂設されており、鍔部８ａが天井パネル３の裏面にほぼ当接されて、パッキン等を介在させてシールされるものである。なお、架台５と高さ調整筒部６と貫通筒部８で補強架台が構成されている。
【００１２】
また、貫通筒部８の下端には、外周に雄ネジが形成されており、この貫通筒部８の雄ネジに、内側に雌ネジを形成したポール受け１０が外嵌されて、ナット９を締め付けて固定されている。
このポール受け１０の下端側に手摺り１１の上端が差し込まれて、ポール受け１０に手摺り１１の上端が固定されて設置されるものである。
また、このポール受け１０の外側には、手摺り１１の上端側および貫通筒部８，ポール受け１０を包囲するカバー１４ａが設けられて、カバー１４ａで上端側がすっきりとした状態に隠蔽されている。
【００１３】
また、手摺り１１の下端は固定部材１２に固定されている。
固定部材１２は鍔部１２ａが、防水パン２に形成されているボス部２ａの上面にネジで固定され、鍔部１２ａから上方へ突出して立上部１２ｂが形成されており、この立上部１２ｂが手摺り１１の下端内周に挿入され、手摺り１１の外側から複数のネジ１３が立上部１２ｂに締め付けられることで、手摺り１１の下端が固定部材１２に固定されている。
【００１４】
手摺り１１は、その上端側が躯体４に固定されている補強架台５，６，８に連結されており、しかも架台５から垂下する貫通筒部８は、高さ調整筒部６により上下高さが調整可能であり、貫通筒部８に連結されたポール受け１０が手摺り１１の上端に強く押し付けられることにより、手摺り１１の上端も強固に固定され、手摺り１１は強固に防水パン２と躯体４間に立設状態で固定されることとなり、強固に浴室１内に自立されることとなる。
従って、従来のように、防水パン２と天井パネル３間に固定されるものではないため、従来よりも強度が大となり、安心して手摺り１１に身体をもたれかけさせる等して手摺り１１を使用できるものとなる。
なお、手摺り１１の下端側にもカバー１４ｂが被せられて、ネジ１３等はこのカバー１４ｂで隠蔽されるものであり、極めてすっきりとした設置状態となる。
【００１５】
なお、躯体４と天井パネル３間の天井裏には、給水配管１５が配管されており、この給水配管１５に対し、天井裏でジョイント部１７を介して連結配管１６が連結され、連結配管１６は、高さ調整筒部６の開口６ａから貫通筒部８内を通し、手摺り１１内に末端が垂設されて、手摺り１１内に設けられている水栓金具本体１８に連結配管１６の末端が接続されている。
なお、水栓金具本体１８から手摺り１１の外側に突出して吐水口１８ａが設けられている。
【００１６】
なお、配管のジョイント部１７は、天井パネル３に形成した点検口３ａから良好に点検することができ、またジョイント部１７の接続作業も点検口３ａから良好に行うことができるものであり、このジョイント部１７の部分を確実に止水すれば、その下流側は水栓金具本体１８まで連続した連結配管１６で構成されているため、漏水の心配がなくなる。
このように、手摺り１１に水栓金具を設けて、水栓金具の吐水口１８ａから良好に吐水させて使用することができ、別途、水栓金具を浴室の壁面等に設置する必要がなく、浴室内がすっきりとしたものとなる。
【００１７】
なお、図２に概略図で示すように、水栓金具本体１８には、流量弁１８ｂと切替弁１８ｃを設け、また水栓金具本体１８からホース１９を延ばして先端にシャワーヘッド２０を取り付けて構成することもでき、この場合、流量弁１８ｂは上方で、その下方に切替弁１８ｃが配置され、更にその下方に吐水口１８ａが配置されるものである。
【００１８】
このように、流量弁１８ｂと切替弁１８ｃを設けることにより、流量弁１８ｂを操作して流量を調整することができ、また切替弁１８ｃを操作して、吐水口１８ａからの吐水と、シャワーヘッド２０からのシャワー水を切り替えることができるものとなり、電気的な電磁弁等を用いることなく、流量の調整および吐水口１８ａとシャワーヘッド２０の切り替えを行うことができるものとなり、電源が不要な水栓となる。
【００１９】
なお、手摺り１１内に水栓金具本体１８を設ける他、図３の概略図で示すように、連結配管１６に複数のシャワーノズルを接続して、上下方向のシャワー吐水口２１，２１，２１を手摺り１１に形成させておけば、手摺り１１に沿って立った状態で、全身にシャワー吐水口２１，２１からのシャワー水を浴びることができるものとなる。
【００２０】
なお、更には図４に示すように、平行に２本の手摺り１１，１１を立設させておき、各手摺り１１，１１には、それぞれ上下方向に複数のシャワー吐水口２１，２１を設け、また上端側には手摺り１１，１１に掛け渡し状に横パイプ２２を設け、この横パイプ２２には下向きに上面シャワー２３を取り付けておき、この上面シャワー２３から下向きにシャワー水を噴出させることができるように構成することもでき、このような構成とすることにより、立った状態で全身に良好にシャワーを浴びることができ、足元から頭まで最短距離でシャワー水を浴びて、浴室内で良好に全身シャワーを行うことができるものとなる。
【図面の簡単な説明】
【００２１】
【図１】浴室内に立設された手摺りの設置状態の縦断面構成図である。
【図２】手摺りに設けられた水栓の部分の拡大概略構成図である。
【図３】手摺りに上下方向に複数のシャワー吐水口を設けた場合の概略構成図である。
【図４】更に２本の手摺りにそれぞれ複数のシャワー吐水口を設けるとともに、上面シャワーを設置した状態の概略構成図である。
【符号の説明】
【００２２】
１  浴室
２  防水パン
２ａ  ボス部
３  天井パネル
３ａ  点検口
４  躯体
５  架台
５ａ  基部
５ｂ  内ネジ筒部
６  高さ調整筒部
６ａ  開口
７  ナット
８  貫通筒部
９  ナット
１０  ポール受け
１１  手摺り
１２  固定部材
１２ａ  鍔部
１２ｂ  立上部
１３  ネジ
１４ａ，１４ｂ  カバー
１５  給水配管
１６  連結配管
１７  ジョイント部
１８  水栓金具本体
１８ａ  吐水口
１８ｂ  流量弁
１８ｃ  切替弁
１９  ホース
２０  シャワーヘッド
２１  シャワー吐水口
２２  横パイプ
２３  上面シャワー
【図１】
2007020818.tif 000003
【図２】
2007020818.tif 000004
【図３】
2007020818.tif 000005
【図４】
2007020818.tif 000006